(57)【要約】【課題】コンパクトで安価に製造することができ、家庭内で手軽に使用することが可能であるとともに、パーマネント処理、トリートメント処理やカラーリング処理等を頭髪に斑なく均一に施すことが可能な頭髪加熱具を提供する。【解決手段】頭髪加熱具１は、頭髪を覆う袋状の被覆体であるカバー２に、頭頂部に近い部分を加熱するための頭頂部加熱手段３ａと、襟足に近い部分を加熱するための襟足部加熱手段３ｄとが内臓されているとともに、それらの頭頂部加熱手段３ａおよび襟足部加熱手段３ｄの近傍に、それぞれ温度センサ１２ａ，１２ｄが設けられている。そして、頭頂部加熱手段３ａおよび襟足部加熱手段３ｄが、各温度センサ１２ａ，１２ｄの検知温度に基づいて出力制御可能になっている。【選択図】図１
2017189387.tif 000002
【特許請求の範囲】
【請求項１】
頭髪を加熱するための頭巾タイプの頭髪加熱具であって、
頭髪を覆う袋状の被覆体に、頭頂部に近い部分を加熱するための上部加熱手段と、襟足に近い部分を加熱するための下部加熱手段とが内臓されているとともに、
それらの上部加熱手段および下部加熱手段の近傍に、それぞれ温度センサが設けられており、上部加熱手段および下部加熱手段が、各温度センサの検知温度に基づいて出力制御可能になっていることを特徴とする頭髪加熱具。
【請求項２】
被覆体が、表面にゲルマニウムを塗布した合成樹脂製のシートによって形成されたものであることを特徴とする請求項１に記載の頭髪加熱具。
【請求項３】
上部加熱手段および下部加熱手段がいずれも電熱線であり、下部加熱手段における電熱線の設置密度の方が、上部加熱手段における電熱線の設置密度よりも高いことを特徴とする請求項１、または請求項２に記載の頭髪加熱具。
【発明の詳細な説明】
【技術分野】
【０００１】
本発明は、頭髪全体あるいは一部にパーマネント処理、トリートメント処理やカラーリング処理等を施すための頭髪加熱具に関するものである。
【背景技術】
【０００２】
頭髪にパーマネント処理、トリートメント処理やカラーリング処理等を施す際に、パーマ液、トリートメント剤やヘアカラー剤等を塗布した頭髪を加熱することによって、薬液の頭髪への浸透を促進させ、処理の効果を高める技術が知られている。そして、そのように頭髪を加熱するための器具として、特許文献１の如き、使用者の頭部を被覆可能な略半球状のヒーターユニットを備えた頭髪加熱装置が知られている。
【先行技術文献】
【特許文献】
【０００３】
【特許文献１】特開２００６−７５３７４号公報
【発明の概要】
【発明が解決しようとする課題】
【０００４】
しかしながら、上記した特許文献１の如き頭髪加熱装置は、ヒーターユニットを保持するためのフレームが必要であるため大型かつ高価であり、家庭内で手軽に使用することが困難である。また、略半球状のヒーターユニット内の空気の対流によって、頭頂部分の温度が襟足部分の温度よりも高くなり易いので、パーマネント処理、トリートメント処理やカラーリング処理等を頭髪に均一に施すことができない、という不具合もある。
【０００５】
本発明の目的は、特許文献１の如き従来の頭髪加熱装置が有する問題点を解消し、コンパクトで安価に製造することができ、家庭内で手軽に使用することができるとともに、パーマネント処理、トリートメント処理やカラーリング処理等を頭髪に斑なく均一に施すことが可能な頭髪加熱具を提供することにある。
【課題を解決するための手段】
【０００６】
本発明の内、請求項１に記載された発明は、頭髪を加熱するための頭巾タイプの頭髪加熱具であって、頭髪を覆う袋状の被覆体に、頭頂部に近い部分を加熱するための上部加熱手段と、襟足に近い部分を加熱するための下部加熱手段とが内臓されているとともに、それらの上部加熱手段および下部加熱手段の近傍に、それぞれ温度センサが設けられており、上部加熱手段および下部加熱手段が、各温度センサの検知温度に基づいて出力制御可能になっていることを特徴とするものである。
【０００７】
請求項２に記載された発明は、請求項１に記載の発明において、被覆体が、表面にゲルマニウムを塗布した合成樹脂製のシートによって形成されたものであることを特徴とするものである。
【０００８】
請求項３に記載された発明は、請求項１、または請求項２に記載の発明において、
上部加熱手段および下部加熱手段がいずれも電熱線であり、下部加熱手段における電熱線の設置密度の方が、上部加熱手段における電熱線の設置密度よりも高いことを特徴とするものである。
【発明の効果】
【０００９】
請求項１に記載の頭髪加熱具は、大型の装置を必要とすることなく、コンパクトに設計することが可能であるので、家庭内で手軽に使用することができる上、安価に製造することができる。また、請求項１に記載の頭髪加熱具は、頭頂部に近い部分を加熱するための上部加熱手段と襟足に近い部分を加熱するための下部加熱手段とが、それぞれ温度センサの検知温度に基づいて別々に出力制御可能になっているため、頭部全体を斑なく均一な温度となるように加熱することができる。したがって、請求項１に記載の頭髪加熱具によれば、頭髪にパーマネント処理、トリートメント処理やカラーリング処理等を斑なく均一に施すことが可能になる。また、上部加熱手段あるいは下部加熱手段の片方のみを用いて、頭髪の一部のみに強いパーマネント処理、トリートメント処理やカラーリング処理等を施すこともできる。
【００１０】
請求項２に記載された頭髪加熱具は、遠赤外線効果によって低い温度で頭髪にダメージを与えることなく、パーマネント処理、トリートメント処理やカラーリング処理等を施すことが期待できる。
【００１１】
請求項３に記載された頭髪加熱具は、被覆体の内部での対流現象によって上部の温度が下部の温度よりも高くなる現象を効果的に防止して、頭髪へより高い精度で均一にパーマネント処理、トリートメント処理、カラーリング処理等を施すことができる。
【図面の簡単な説明】
【００１２】
【図１】頭髪加熱具を示す説明図（右側面図）である。
【図２】頭髪加熱具を示す説明図（正面図）である。
【図３】頭髪加熱具を示す説明図（背面図）である。
【図４】頭髪加熱具を示す説明図（平面図）である。
【図５】頭髪加熱具を示す説明図である（ａは図１におけるＡ−Ａ線端面図であり、ｂはａにおけるＢ部分の拡大図である）。
【図６】頭髪加熱具の制御回路を示すブロック図である。
【図７】頭髪加熱具の使用状態を示す説明図である（ａは正面図であり、ｂは右側面図であり、ｃは背面図である）。
【発明を実施するための形態】
【００１３】
以下、本発明に係る頭髪加熱具の一実施形態について、図面に基づいて説明する。
＜頭髪加熱具の構造＞
図１〜５は、本発明に係る頭髪加熱具を示したものであり、頭髪加熱具１は、二つ折りした頭巾状のカバー２、カバー２に内蔵された加熱手段３（３ａ〜３ｄ）、加熱手段３へ電源を供給するための電源供給手段４、加熱手段３による加熱温度・加熱時間を制御するための制御装置（コントローラ）２１等によって構成されている。
【００１４】
カバー２は、表層シート５の内側に表層シート６を貼り合わせた積層シートによって袋状に形成されている。そして、左右両サイドの部分は、頭頂部から下端縁まで約２００ｍｍの長さになっており、後方の部分は、頭頂部から下端縁まで約３００ｍｍの長さになっている。
【００１５】
カバー２の表層シート５は、厚さ約１．０ｍｍの合成樹脂（塩化ビニル）によって形成されており、高い防水性を有している。また、表層シート５の表面には、ゲルマニウム粒子がコーティングされている（バインダーとともに固着されている）。
【００１６】
一方、カバー２の表層シート６は、耐熱性を有する合成樹脂（ＰＰＳ（ポリフェニレンサルファイド））製の繊維からなる織布によって形成されており、厚さが約１．５ｍｍになっている。また、図１〜４の如く、表層シート６には、表側の布と裏側の布とを縫製することによって、カバー２の最頂部（最上部）から順に、頭頂部加熱手段収納部８ａ、中間部加熱手段収納部８ｂ、耳部加熱手段収納部８ｃ、襟足部加熱手段収納部８ｄが、それぞれ、ポケット状に形成されている。
【００１７】
そして、それらの各収納部８ａ〜８ｄの内部には、それぞれ、加熱手段である電熱線（コイル状のニクロム線）が蛇行状に収納されており、頭頂部加熱手段（上部加熱手段）３ａ、中間部加熱手段３ｂ、耳部加熱手段３ｃ、襟足部加熱手段（下部加熱手段）３ｄを構成した状態になっている。なお、当該電熱線は、通常の１００Ｗの電化製品用の電熱線よりも太い直径約０．４ｍｍのものを用いている。
【００１８】
また、各加熱手段においては、襟足部加熱手段３ｄ→耳部加熱手段３ｃ→中間部加熱手段３ｂ→頭頂部加熱手段３ａの順に、各収納部８ａ〜８ｄの面積に対する電熱線の長さの割合（すなわち、「電熱線の長さ／収納部の面積」の数値が小さくなるように、電熱線が配置されている。さらに、各収納部８ａ〜８ｄの内部には、それぞれ、温度センサ１２ａ〜１２ｄが、加熱手段３ａ〜３ｄと隣接するように内蔵されている。
【００１９】
また、図６は、加熱手段３ａ〜３ｄの制御回路を示したものであり、この制御回路においては、加熱手段３ａ〜３ｄに、それぞれ、スイッチ１３ａ〜１３ｄおよびヒューズ１４が接続されている。そして、そのようにスイッチ１３ａ〜１３ｄおよびヒューズ１４と接続させた加熱手段３ａ〜３ｄが、それぞれ、主回路に並列に接続された状態になっている。また、主回路には、スイッチ１０、コンデンサ１１等が接続されている。そして、主回路には、電源供給手段４によって、外部電源（交流１００Ｖ）をＡＣアダプター（図示せず）で直流に変換して供給することができるようになっている。なお、コンデンサ１１は、接地（アース）されている。
【００２０】
また、スイッチ１３ａ〜１３ｄ、加熱手段３ａ〜３ｄの近傍に設置された温度センサ１２ａ〜１２ｄ、スイッチ１０は、インターフェイス２４を介して、ＣＰＵ２２およびタイマ２３等を内蔵した制御装置２１に接続されている。さらに、制御装置２１には、インターフェイス２４を介して、入力手段２５が接続されている。そして、作業者が、制御装置２１の入力手段２５を操作することによって、電源供給のＯＮ・ＯＦＦ、加熱温度、加熱時間を入力することができるようになっている。また、制御装置２１の入力手段２５を操作することによって、加熱手段３ａ〜３ｄの内の一部のみに電源を供給することができるようになっている。
【００２１】
さらに、加熱中には、各加熱手段収納部８ａ〜８ｄの内部の温度センサ１２ａ〜１２ｄが各加熱手段収納部８ａ〜８ｄ内の温度を検知し、その数値をフィードバックすることによって、スイッチ１３ａ〜１３ｄをＯＮ・ＯＦＦ制御することによって、各加熱手段収納部８ａ〜８ｄの内部の実際の温度が、設定温度を中心として上下に所定温度の範囲内（すなわち、設定温度±１℃以内）になるように制御可能になっている。
【００２２】
＜頭髪加熱具の使用方法＞
図７は、頭髪加熱具の使用状態を示したものであり、頭髪加熱具１は、パーマネント処理、トリートメント処理、縮毛矯正処理（ストレートパーマ処理）、カラーリング処理、ヘッドスパ処理等の頭髪の広範な処理に用いることができる。そして、たとえば、頭髪へのパーマネント処理時にパーマネント液を塗布した頭髪を加熱する場合には、二つ折りされた部分を開いて、パーマネント液が塗布された頭髪にカバー２の内面を押し当てるように、カバー２を使用者の頭部に被覆させる。そのようにカバー２を使用者の頭部に被覆させると、カバー２の左右両サイドの部分が使用者の耳部を完全に覆い、カバー２の後方の部分が首の後方を完全に覆って肩まで達した状態となる。
【００２３】
そして、その状態で、制御装置２１の入力手段２５を操作して、加熱温度を所定の温度に設定するとともに、加熱継続時間を所定の時間にセットして、スイッチをＯＮにする。そのようにスイッチをＯＮにすると、加熱手段３ａ〜３ｄに電源が供給されて、加熱手段３ａ〜３ｄが発熱する。そのように加熱手段３ａ〜３ｄが発熱すると、カバー２の内部においては、暖められた空気が下方から上方へ対流するが、頭髪加熱具１は、襟足部加熱手段３ｄ→耳部加熱手段３ｃ→中間部加熱手段３ｂ→頭頂部加熱手段３ａの順に、各収納部８ａ〜８ｄの面積に対する電熱線の長さの割合（すなわち、「電熱線の長さ／収納部の面積」の数値が小さくなるように、電熱線が配置されているため、上方の温度の方が下方の温度よりも高くなる現象が生じにくい。さらに、上記の如く、加熱中においては、各加熱手段収納部８ａ〜８ｄの内部の温度センサ１２ａ〜１２ｄが温度を検知して、その数値をフィードバックすることによって、各加熱手段収納部８ａ〜８ｄの内部の実際の温度が、きわめて設定温度に近い温度となるように制御される。
【００２４】
＜頭髪加熱具の効果＞
頭髪加熱具１は、上記の如く、頭髪を覆う袋状の被覆体であるカバー２に、頭頂部に近い部分を加熱するための頭頂部加熱手段３ａ（上部加熱手段）と、襟足に近い部分を加熱するための襟足部加熱手段３ｄ（下部加熱手段）とが内臓されているとともに、それらの頭頂部加熱手段３ａおよび襟足部加熱手段３ｄの近傍に、それぞれ温度センサ１２ａ，１２ｄが設けられており、上部加熱手段３ａおよび下部加熱手段３ｄが、各温度センサ１２ａ，１２ｄの検知温度に基づいて出力制御可能になっている。
【００２５】
したがって、頭髪加熱具１は、大型の装置を必要とすることなく、コンパクトに設計することが可能であるので、家庭内で手軽に使用することができる上、安価に製造することができる。また、頭髪加熱具１によれば、頭部全体を斑なく均一な温度となるように加熱することができるため、頭髪にパーマネント処理、トリートメント処理やカラーリング処理等を斑なく均一に施すことが可能になる。さらに、頭髪加熱具１によれば、上部加熱手段３ａあるいは下部加熱手段３ｂの片方のみを用いて、頭髪の一部のみに強いパーマネント処理、トリートメント処理やカラーリング処理等を施すこともできる。
【００２６】
また、頭髪加熱具１は、被覆体であるカバー２が、表面にゲルマニウムを塗布した合成樹脂製のシートによって形成されたものであるため、遠赤外線効果によって低い温度で頭髪にダメージを与えることなく、パーマネント処理、トリートメント処理やカラーリング処理等を施すことが期待できる。
【００２７】
さらに、頭髪加熱具１は、上部加熱手段および下部加熱手段がいずれも電熱線であり、下部加熱手段における電熱線の設置密度の方が、上部加熱手段における電熱線の設置密度よりも高くなっているため、被覆体の内部での対流現象によって上部の温度が下部の温度よりも高くなる現象を効果的に防止して、頭髪へより高い精度で均一にパーマネント処理、トリートメント処理、カラーリング処理等を施すことができる。
【００２８】
＜頭髪加熱具およびそれを用いた頭髪の加熱方法の変更例＞
本発明に係る頭髪加熱具の構成は、上記実施形態の態様に何ら限定されず、被覆体（カバー）、加熱手段（電熱線）、電源供給手段、制御装置（コントローラ）等の形状、構造等の構成を、本発明の趣旨を逸脱しない範囲で必要に応じて適宜変更することができる。
【００２９】
たとえば、加熱手段は、上記実施形態の如く、コイル状に捲回させたニクロム線に限定されず、鉄クロム線や、ニクロム線や鉄クロム線をケースに密閉したシーズ線等でも良い。また、加熱手段は、上記実施形態の如き電熱線に限定されず、面状ヒーターを用いることも可能である。
【００３０】
一方、表層シートの材質は、上記実施形態の如く、塩化ビニルに限定されず、防水性を発現可能な他の合成樹脂に変更することができる。さらに、内層シートも、上記実施形態の如く、ＰＰＳ製の繊維からなる織布に限定されず、他の耐熱性の高い合成樹脂製の繊維（ＰＢＯ（ポリパラフェニレンベンゾビスオキサザール）繊維、メタアラミド繊維）からなる織布等に変更することも可能である。
【００３１】
さらに、本発明に係る頭髪加熱具は、上記実施形態の如く、加熱手段が頭頂部加熱手段、中間部加熱手段、耳部加熱手段、襟足部加熱手段の４つに分割されているとともに、それらの４つの加熱手段の近傍に、それぞれ温度センサが設けられており、それらの４つの加熱手段が、各温度センサの検知温度に基づいて出力制御可能になっているものに限定されず、加熱手段が３つ以下（２つあるいは３つ）もしくは５つ以上の領域を加熱するものに分割されているとともに、それらの３つ以下もしくは５つ以上の加熱手段の近傍に、それぞれ温度センサが設けられており、それらの３つ以下もしくは５つ以上の加熱手段が、各温度センサの検知温度に基づいて出力制御可能になっているものに変更することも可能である。
【産業上の利用可能性】
【００３２】
本発明の頭髪加熱具を用いた頭髪の加熱方法は、上記の如く優れた効果を奏するものであるから、頭髪にパーマネント処理、トリートメント処理、縮毛矯正処理、カラーリング処理、ヘッドスパ処理等を施す際の器具として好適に用いることができる。
【符号の説明】
【００３３】
１・・頭髪加熱具
２・・カバー（被覆体）
３・・加熱手段
３ａ・・頭頂部加熱手段
３ｂ・・中間部加熱手段
３ｃ・・耳部加熱手段
３ｄ・・後頭部加熱手段
３ｅ・・襟足部加熱手段
５・・表層シート
６・・内層シート
１２ａ〜１２ｄ・・温度センサ
２１・・制御装置
【図１】
2017189387.tif 000003
【図２】
2017189387.tif 000004
【図３】
2017189387.tif 000005
【図４】
2017189387.tif 000006
【図５】
2017189387.tif 000007
【図６】
2017189387.tif 000008
【図７】
2017189387.tif 000009